(57)【要約】【課題】土石流等の衝撃力に対して大きな剪断強度や耐摩耗性を有し、堆積した土砂や石礫等の除去や、部材の交換等のメインテナンスが簡単な横ビーム式オープンダムを実現する。【解決手段】河川の横断方向に一定の間隔をおいて開口部４を形成するように配置された複数のバットレス３と、複数のバットレス３の上端に架設された天端スラブ６と、複数のバットレス３のうち互いに隣接するバットレス３間に上下方向にスリット間隔で着脱可能に取り付けられる複数の横ビーム２４とを備えており、バットレス３には、複数の支持梁１６がスリット間隔に対応して側方に向けて突出して設けられており、横ビーム１６は、その両端に支持梁１６と嵌合する切り欠き２５（嵌合部）が形成されており、切り欠き２５を支持梁１６に嵌合して横置きしてバットレス３間に着脱可能に取り付けることができる。【選択図】図２
2005336802.tif 000002
【特許請求の範囲】
【請求項１】
河川の横断方向に一定の間隔をおいて開口部を形成するように配置された複数のバットレスと、該複数のバットレスの上端に架設された天端スラブと、前記複数のバットレスのうち互いに隣接するバットレス間に上下方向にスリット間隔で着脱可能に取り付けられる複数の横ビームとを備えた横ビーム式オープンダムであって、
前記バットレスには、複数の支持梁が前記スリット間隔に対応して側方に向けて突出して設けられており、
前記横ビームは、その両端に前記支持梁と嵌合する嵌合部が形成されており、該嵌合部を前記支持梁に嵌合して横置きしてバットレス間に着脱可能に取り付けられることができる土石流捕捉用の透過型砂防ダムであることを特徴とする横ビーム式型オープンダム。
【請求項２】
前記バットレスは、鋼製の柱材を支保工として組み立てられた鋼製の両側の側面パネル、上流面材及び下流面材で囲まれた函体の内部空間に、内部コンクリートが充填されて成る構成であることを特徴とする請求項１記載の横ビーム式型オープンダム。
【請求項３】
前記側面パネルは軽量矢板又は軽量形鋼のパネルであり、前記柱材の両側に配置された水平な取付杆に、複数の軽量矢板又は軽量形鋼のパネルが集合して組み立てられる構成であることを特徴とする請求項１又は２記載の横ビーム式型オープンダム。
【請求項４】
非越流部側面間に、上下方向にスリット間隔で着脱可能に取り付けられる複数の横ビームを備えた横ビーム式オープンダムであって、
前記非越流部側面には、複数の支持梁が前記スリット間隔に対応して側方に向けて突出して設けられており、
前記横ビームは、その両端に前記支持梁と嵌合する嵌合部が形成されており、該嵌合部を前記支持梁に嵌合して横置きし前記非越流部側面間に着脱可能に取り付けられることができる土石流捕捉用の透過型砂防ダムであることを特徴とする横ビーム式型オープンダム。
【請求項５】
前記横ビームは、鋼管から形成されており、前記横ビームの嵌合部は、前記支持梁が嵌合可能な切り欠きから成ることを特徴とする請求項１〜４のいずれかに記載の横ビーム式型オープンダム。
【請求項６】
前記非越流部側面間に天端スラブが配置され、
前記横ビームの下流側に沿うように位置して、着脱自在に取り付けられる複数の縦ビームを河川の横断方向にスリット間隔で備え、
前記天端部と基礎コンクリートには、それぞれ複数の縦ビーム用の支持梁が前記縦ビームの前記スリット間隔に対応して突出して設けられており、
前記縦ビームは、その両端に前記縦ビーム用支持梁と嵌合する嵌合部が形成されており、該嵌合部を前記縦ビーム用支持梁に嵌合して前記天端部と基礎コンクリート間に着脱可能に取り付けられることができる最下流における土石流捕捉用の透過型砂防ダムであることを特徴とする請求項４又は５に記載の横ビーム式型オープンダム。
【発明の詳細な説明】
【技術分野】
【０００１】
本発明は、主に、土石流が発生するような渓流の土石流区間において、土石流の捕捉や土石流ピーク流量の減少を目的とし、さらに、中小の出水で堆砂することなく次の土石流に対して貯砂容量を維持することができ、しかも流木止めとしても機能する透過型砂防ダムの技術分野に関する発明である。
【背景技術】
【０００２】
土石流区間の透過型砂防ダムとして、透過型鋼製砂防ダムが知られている（特許文献１、特許文献２参照）。この透過型鋼製砂防ダムは、鋼管をフランジ継手によって接合させた骨組構造であり、いわゆる格子形鋼製砂防ダム、或いは鋼製スリットＢ型ダムなどと呼ばれているものである。
【０００３】
さらに、土石流区間の透過型砂防ダムとして、ハイブリッドバットレス型オープンダムが知られている（特許文献３参照）。従来のハイブリッドバットレス型オープンダムは、図１（ａ）に示すように、基礎コンクリート５上に、鉄骨及び鋼製の側面パネルで補強したコンクリート造の複数のバットレス３１を、河川の横断方向に適切な間隔で配置し、複数のバットレスの天端部を天端スラブ３２で連結した構造である。
【０００４】
又、図７（ａ）は、同じく従来のバットレス型オープンダムの別の構成を示しているが、このバットレス型オープンダムは、その開口幅（水通し幅）が狭い（例えば、６ｍ程度）構造のものを示し、バットレス３１の数が少ない構成である。
【特許文献１】特開平７−３７４９号公報
【特許文献２】特開昭５７−２９７１７号公報
【特許文献３】特開２００２−１８０４４１号公報
【発明の開示】
【発明が解決しようとする課題】
【０００５】
従来の透過型鋼製砂防ダムは、フランジ継手で鋼管部材を連結した構造であるから、河川を流下する土石や礫等衝突が予想外に多く繰り返されたり、或いは大きな土石流が作用し、部材の損傷が激しい場合にも、その部材だけ取り替えるというようなことは難しい。さらに堆積した土石等を取り除く場合は、ダムの上流側からしか行えないので、進入路を整備する必要がある等、メインテナンス上いろいろと困難であり、不便な点が多い。
【０００６】
また、ハイブリッドバットレス型オープンダムは、土石流等の衝撃力に対して大きな剪断強度を有するとともに、耐摩耗性を有するという利点はある。しかしながら、土石流の対象礫径が小さくなると、バットレス径間を狭くして礫径に対応したスリット間隔を確保する必要が生じ、バットレスの連数が増えることとなり、コストが高くなる。また、除石についても、鋼製砂防ダムと同様に、ダムの上流側だけからしか行えないので、進入路を整備する必要がある。
【０００７】
本発明は、上記従来の問題を解決することを目的とするものであり、土石流等の衝撃力に対して大きな剪断強度や耐摩耗性を有し、堆積した土砂や石礫等の除去や、部材の交換等のメインテナンスが簡単なオープンダムを実現することを課題とする。
【課題を解決するための手段】
【０００８】
本発明は上記課題を解決するために、河川の横断方向に一定の間隔をおいて開口部を形成するように配置された複数のバットレスと、該複数のバットレスの上端に架設された天端スラブと、前記複数のバットレスのうち互いに隣接するバットレス間に上下方向にスリット間隔で着脱可能に取り付けられる複数の横ビームとを備えた横ビーム式オープンダムであって、前記バットレスには、複数の支持梁が前記スリット間隔に対応して側方に向けて突出して設けられており、前記横ビームは、その両端に前記支持梁が嵌合する嵌合部が形成されており、該嵌合部を前記支持梁に嵌合して横置きしてバットレス間に着脱可能に取り付けられることができる土石流捕捉用の透過型砂防ダムであることを特徴とする横ビーム式型オープンダムを提供する。
【０００９】
前記バットレスは、鋼製の柱材を支保工として組み立てられた鋼製の両側の側面パネル、上流面材及び下流面材で囲まれた函体の内部空間に、内部コンクリートが充填されて成る構成としてもよい。
【００１０】
前記側面パネルは軽量矢板又は軽量形鋼であり、前記柱材の両側に配置される水平な取付杆に、複数の軽量矢板又は軽量形鋼のパネルが集合して組み立てられる構成としてもよい。
【００１１】
本発明は上記課題を解決するために、非越流部側面間に、上下方向にスリット間隔で着脱可能に取り付けられる複数の横ビームを備えた横ビーム式オープンダムであって、前記非越流部側面には、複数の支持梁が前記スリット間隔に対応して側方に向けて突出して設けられており、前記横ビームは、その両端に前記支持梁と嵌合する嵌合部が形成されており、該嵌合部を前記支持梁に嵌合して横置きし前記非越流部側面間に着脱可能に取り付けられることができる最下流における土石流捕捉用の透過型砂防ダムであることを特徴とする横ビーム式型オープンダムを提供する。
【００１２】
前記横ビームは、鋼管から形成されており、前記横ビームの嵌合部は、前記支持梁が嵌合可能な切り欠きから成る構成としてもよい。
【発明の効果】
【００１３】
本発明に係る横ビーム式オープンダムは、次のような効果が生じる。
（１）本発明に係る横ビーム式オープンダムの横ビームは、その両端の嵌合部（凹部）を支持梁に嵌合することにより、簡単に着脱可能な構造であるから、横ビームの開閉を任意に行え、堆砂後に横ビームを取り外せば、バットレス間に重機により、除石を効果的に行うことができる。
【００１４】
（２）本発明に係る横ビーム式オープンダムの横ビームは、着脱可能であるから、簡単に新らしい横ビームと交換でき、メインテナンスが簡単となる。横ビームは、円柱状の鋼材、鋼管等を利用するが、特に、鋼管等を利用すれば、河川を流下する礫衝突による衝突エネルギーを、衝突点のへこみ変形や梁としての塑性変形で吸収することが可能であり、衝突力に対して抵抗を向上させることが可能である。
【００１５】
（３）本発明に係る横ビーム式オープンダムのバットレスは、内外を鋼材で補強した構造であるから、耐衝撃性、耐摩耗性が極めて大きく、従来のハイブリッドバットレス型オープンダムに較べて、柱材については、大型化し、本数を削減可能であり、側面パネルについては軽量矢板又は軽量形鋼のパネルを使用し、集合し側面壁を組み立てれば、設計施工の単純合理化を図ることが可能となる。
【００１６】
（４）本発明に係る横ビーム式オープンダムでは、バットレスだけでなく、横ビームでも土石等の捕捉が可能となるから、バットレスの径間（間隔）を広くとれば、バットレスの設置数を少なくすることができるので、バットレスの鋼材量を減らし、従来のハイブリッドバットレス型オープンダムに比較して、コストを低減することができる。
【発明を実施するための最良の形態】
【００１７】
本発明に係る横ビーム式オープンダムを実施するための最良の形態を実施例に基づいて図面を参照して説明する。
【実施例１】
【００１８】
図１〜６は、本発明の実施例１（但し、図１（ａ）は従来例）を説明する図である。図１は、本発明に係る横ビーム式オープンダムの実施例の概略構造を示す斜視図である。図２は、横ビーム式オープンダムの要部を説明する斜視図であり、図３は、バットレスを説明する図である。図４〜６は、本発明に係るハイブリッドバットレス型オープンダムの実施例の施工手順を説明する図である。
【００１９】
（全体構造）
この横ビーム式オープンダム１は、コンクリートで構築された左右の非越流部２（「不透過部」とも言う。）の間に、複数のバットレス３が、河川横断方向に設けられている。複数のバットレス３間に、中小出水での流水や土砂が流れる開口部４が設けられている。バットレス３は、コンクリート構造の内外を鋼材で補強したハイブリッド構造（複合構造）であることを特徴とする透過型の砂防ダムである。
【００２０】
図１、図２において、この横ビーム式オープンダム１は、基礎コンクリート５上に、河川横断方向に適切な間隔をおいて開口部４を形成するように設けられた複数のバットレス３（扶壁）を設置し、この複数のバットレス３の天端部（上端部）に天端スラブ６を架設して全体が構築される。複数のバットレス３の間の開口部４を通して中小出水での流水や土砂が流下する。
【００２１】
バットレス３は、柱材７（本実施例では２本設けている。）を支保工として、両側の側面壁８、上流面材９、及び下流面材１０で組み立てられた函体１１の内部空間に打設された内部コンクリート１２（バットレス３内部コンクリート）とから構築される。
【００２２】
さらに、バットレス３は、後述する側面パネル１３を取り付けるための水平な取付杆１４（「腹起こし」とも言う。）、基礎コンクリート５に下端が埋設されている補強鉄筋１５及び複数の支持梁１６を備えている。
【００２３】
柱材７は、基礎コンクリート５上に立設し、支保工として機能するものであり、対衝撃抵抗力をもたせるためにＨ形鋼柱が使用される。両側の側面壁８は、それぞれ複数の側面パネル１３を集合して形成されている。
【００２４】
側面パネル１３としては、本実施例１では、耐磨耗性を有する軽量矢板又は軽量形鋼のパネルが使用され、複数の側面パネル１３を組み合わせて集合し、取付杆１４に取り付けられている。これにより、両側の側面壁８が構成される。
【００２５】
取付杆１４は、図３（ａ）〜（ｃ）に示すように、柱材７の両側部に２本が対となって互いに向かい合うように、上下流方向に水平に取り付けられている。取付杆１４は、柱材７の両側部に形成されている孔に挿通されて取り付るか、又は柱材７の両側部の外側面に適宜、締着材で取り付ける。そして、互いに向かい合う１対の取付杆１４は、複数の水平タイ材１７で互いに連結されている。
【００２６】
上流面材９は、図２（ａ）に示すように、水平断面が湾曲状でＵ型の流体抵抗の小さい耐磨耗性を有する形鋼が使用されている。そして、上流面材９はその側部に、支持梁１６を側方から水平に嵌め込めるように嵌め込み孔（図示せず）が形成されている。
【００２７】
補強鉄筋１５は、内部コンクリート１２のうち、上流面材９でカバーされた上流側の内部に補強用として挿入されている。下流面材１０は、後述する図５（ａ）に示すように、耐磨耗性を有するＵ字形鋼が使用される。なお、上流面材９及び下流面材１０は、それぞれその下端にベースプレートが溶接等で固定されており、このベースプレートをアンカーボルトで基礎コンクリート５に締着することで、基礎コンクリート上５に設置するむ構成となっている。
【００２８】
本発明のバットレス３は、このように対衝撃抵抗力を有する鋼製の柱材７、耐磨耗性を有する側面パネル１３、上流面材９、下流面材１０、取付杆１４、補強鉄筋１５等から成る鋼製構造体と、内部コンクリート１２とから形成されるハイブリッド構造であるから、土石流の衝撃力に対してきわめて大きな強度を有するだけでなく、土石流や土砂流にその表面が接触しても、壁面材の耐磨耗性によりその表面の損耗を抑えることができる。
【００２９】
なお、上記鋼製構造体は、構造強度を高める部材として機能するだけでなく、函体１１として、内部コンクリート１２を打設するための型枠支保工や型枠パネルとしても機能する。
【００３０】
支持梁１６は角形鋼管が使用されており、図２（ａ）、（ｂ）に示すように、上流面材９の両側の側面から水平方向に突設されており、上下方向にスリット間隔ｓをおいて複数段（本実施例では５段）設けられている。支持梁１６の上面には、留め金具１８が上方に向けて突設されている。
【００３１】
なお、非越流部２の内側側面又は側縁には形鋼９’がアンカーボルト等により固定されており、支持梁１６が、上記上流面材９から突出すると同様な構成で側方に向けて水平方向に突設されている。
【００３２】
天端スラブ６は、複数のバットレス３上に河川横断方向に架設されるスラブ底面材１９と、上流側に面して設けられるスラブ上流面材２０と、下流側に面して設けられるスラブ下流面材２１と、スラブ底面材１９と上下流面材１０を結合し補強する斜めタイ材２２と、これらの面材１９、２０、２１で囲まれる空間に打設される天端コンクリート２３と、から構築される。
【００３３】
スラブ底面材１９、スラブ上流面材２０、スラブ下流面材２１は、土石流や流木が衝突することを考え、耐衝撃性、耐磨耗性をもたせるために形鋼を使用するとよい。なお、図示はしないが、スラブ底面材１９の上に同じ方向に設けられたＨ形鋼等からなるスラブ桁材を配置して補強してもよい。
【００３４】
本発明は、以上のようなバットレス型のオープンダムにおいて、図１、図２に示すように、複数のバットレス３のうち、互いに隣接するバットレス３の間に横ビーム２４を着脱可能に複数段、水平に設けた構成を特徴とする。この構成を次に詳述する。
【００３５】
図２（ａ）、（ｂ）に示すように、横ビーム２４は、全体的には円柱状に形成されており、その両端部に、それぞれ支持梁１６に嵌合できる嵌合部として切り欠き２５（凹部）が形成されている。本実施例１では、支持梁１６の断面が矩形であるから、横ビーム２４の切り欠き２５は断面矩形状に形成されている。横ビーム２４の切り欠き２５には、留め金具１８を挿通することができる留め金具挿通孔（図示せず）が形成されている。
【００３６】
横ビーム２４は、その両端の切り欠き２５を支持梁１６に嵌合させて載置し、留め金具１８を横ビーム２４の嵌め込み孔に挿通することで、ずれ止めして定置される。横ビーム２４は、図２（ａ）に示すように、クレーンにより吊り下げてバットレス３の間に装着することができるとともに、逆に、クレーンにより吊り上げてバットレス３の間から取り外すことができる。
【００３７】
このような横ビーム２４をバットレス間に着脱自在に装着する作業は、図２（ｂ）に示すように、横ビーム２４の両端の切り欠き２５を支持梁１６に嵌合させる構造であるから、きわめて簡単に行うことができる。
【００３８】
（細部構造および施工法）
本発明に係る横ビーム式オープンダム１の細部構造について、図４〜６によりその施工手順の説明を通して、さらにその構造を明確にする。
【００３９】
（イ）足場の組立（図４（ａ））
基礎コンクリート５上に作業用の足場を組立てる。
【００４０】
（ロ）柱材の設置（図４（ｂ））
基礎コンクリート５内に埋め込んだアンカーボルト７’で、柱材７を固定して立設する。柱材７については、この実施例１では、それぞれＨ形鋼が利用される。
【００４１】
（ハ）１リフト分の下流面材及び側面パネル等の取り付け（図５（ａ））
一対の取付杆１４（腹起こし）を、柱材７の両側に位置して互いに向かい合うようにして上下流方向に向けて水平に配置し、柱材７の両側部の孔に挿通して取り付けるか、又は柱材７の両側部の外側面に適宜、締着手段で固定する。なお、取付杆１４は、必要に応じて添接板により継ぎながら配置される。そして互いに向かい合う取付杆１４を、水平タイ材１７（図３（ｂ）、（ｃ）参照）で連結する。
【００４２】
次に、複数の側面パネル１３（軽量矢板又は軽量形鋼のパネル）を、互いに向かい合う取付杆１４の外側から当接するようにして取付け、集合して組み立てて、１リフト分の両側の側面壁８を形成する。さらに、下流面材１０を、その下端に固定されたベースプレート（図示せず）をアンカーボルトで基礎コンクリート５上に締着することにより、設置する。
【００４３】
（ニ）上流面材及び支持梁の設置、１リフト分のコンクリートの打設（図５（ｂ））
上流面材９を側面パネル１３に被せるようにして、その下端に固定されたベースプレート（図示せず）をアンカーボルトで基礎コンクリート５上に締着することにより、設置する。このようにして函体１１を構築する。函体１１は、１リフト分の内部コンクリート１２を充填する内部空間を有する。
【００４４】
そして、上流面材９の両側の嵌め込み孔から支持梁１６を嵌め込み、さらに補強鉄筋１５を上流面材９の内方に建て込む。なお、非越流部２の内側側面又は側縁にも形鋼９’をアンカーボルト等により固定し、支持梁１６を、上流面材９から突出すると同様な構成で側方に向けて水平方向に突設する。この後で、１リフト分の内部コンクリート１２を打設する。支持梁１６は、上流面材９の内方において内部コンクリート１２内に埋設されて固定され、その先端は、上流面材９の両側から側方に突出した構造となる。
【００４５】
（ホ）上記工程（（ハ）及び（ニ））を繰り返す
このようにして、１リフト分の内部コンクリート１２を函体１１内に充填した後で、上記工程（（ハ）及び（ニ））を繰り返す。即ち、上記（ハ）の工程と同様に、取付杆１４を柱材７に固定してから、この柱材７に側面パネル１３を取り付け、さらに上位の側面壁８を形成するとともに、下流面材１０を取り付け、さらに上記（ニ）の工程と同様に、上流面材９及び支持梁１６を取り付けて上位の内部コンクリート１２を充填する。このような（ハ）及び（ニ）の工程を、スラブ底面材１９に到達するまで、上方に向けて繰り返す。
【００４６】
（ヘ）天端スラブの構築（図６（ａ））
上記のようにして構築された複数のバットレス３の天端上（バットレス３の上端の上）に、河川横断方向にスラブ底面材１９を架設する。さらに、上流側に面してスラブ上流面材２０を配置し、下流側に面してスラブ下流面材２１を配置する。
【００４７】
そして、スラブ底面材１９と上流面材９を斜めタイ材２２で結合し、またスラブ底面材１９と下流面材１０を斜めタイ材２２で結合して支持する。このようにして形成されたスラブ底面材１９、スラブ上流面材２０及びスラブ下流面材２１で囲まれる空間内に、天端コンクリート２３を打設し、天端スラブ６４を構築する。
【００４８】
（ト）横ビームの設置（図６（ｂ））
クレーン等の重機で横ビーム２４を吊り下ろし、横ビーム２４の切り欠き２５（嵌合部である凹部）を支持梁１６に嵌合させて、留め金具１８で固定して、横ビーム２４を支持梁１６上にセットする。これにより、横ビーム式オープンダム１の施工が完了する。
【００４９】
以上が本発明に係る横ビーム式オープンダム１の施工法における施工手順である。なお、高さが６ｍ程度までバットレス３については、施工現場の周辺で仮組ヤードやクレーン稼働ヤードがとれるのであれば、バットレス３を横倒しの状態で、現場溶接等を利用して、柱材７、取付杆１４（腹起こし）、側面パネル１３を仮組みして鋼製構造体（柱材７を支保工とした函体１１）とし、この仮組みされた鋼製構造体を立ち起こして所定のところに設置し、そこに内部コンクリート１２を打設してバットレス３を構築することもできる。
【００５０】
本発明に係る横ビーム式オープンダム１の実施規模のイメージを把握するために、実施規模の１例を以下に示す。
ダム高・・・３ｍ以上（バットレス高：２ｍ以上）
天端幅・・・１．５ｍ〜５ｍ
勾配・・・・上流面    直立〜１：１．０、下流面  直立〜１：０．５
バットレス径間（隣接するバットレスの間の開口幅）・・・３ｍ〜６ｍ
バットレス幅・・・０．６ｍ〜１．５ｍ
横ビーム径・・・０．２ｍ〜０．８ｍ
横ビーム純間隔・・・０．２ｍ〜３．０ｍ
天端スラブ厚・・・０．５ｍ〜２．０ｍ
【００５１】
（作用）
本発明に係る横ビーム式オープンダム１は、複数のバットレス３により、土石流を捕捉するとともに、土石流のピーク流量をコントロールし、さらに流木等も捕捉することができる。なお、中小出水時での土砂は、バットレス３間の開口部４を通して流下する。
【００５２】
本発明のこの実施例１では、横ビーム２４は、その両端の切り欠き２５を支持梁１６に対して係脱することにより、簡単に着脱可能な構造であるから、横ビーム２４の取り付け、取り外しにより、バットレス３間の開口の開閉を任意に行える、いわゆる「ゲート機能」を付加した透過型砂防ダムを実現できる。
【００５３】
そして、本発明の横ビーム式オープンダム１において、土砂や土石等の堆砂後に、横ビーム２４を取り外せば、重機により、バットレス３間の除石や土砂の取り除きが効果的に行うことができる。
【００５４】
なお、横ビーム２４は、円柱状の鋼材、鋼管等を利用するが、特に、鋼管を利用すれば、河川を流下する礫衝突による衝突エネルギーを、衝突点のへこみ変形や梁としての塑性変形で吸収することが可能であり、衝突力に対して抵抗を有する構成とすることが可能である。このように、横ビーム２４が部分的にへこんだり、塑性変形しても、本発明では、横ビーム２４が着脱可能であるから、簡単に新らしい横ビーム２４と交換でき、メインテナンスが簡単となる。
【実施例２】
【００５５】
図７（ｂ）は、本発明に係る横ビーム式オープンダムの実施例２を示す斜視図である。図７（ａ）は、前述のとおり従来のバットレス型オープンダムを示しているが、このダムのように、その開口幅（水通し幅）が狭い（例えば、６ｍ程度）の場合には、図７（ｂ）に示す実施例２の横ビーム式オープンダム２６が適している。
【００５６】
実施例２の横ビーム式オープンダム２６は、実施例１のようにバットレスは設けることなく、横ビーム２７を開口部２８の上流側に、上下方向に間隔をおいて複数本、着脱可能に設置した構成である。 詳細に図示はしないが、コンクリートで構築された非越流部２９（ダムの不透過部）の上流側の側縁部又は側面部に沿って、基礎コンクリート５の上方に伸びる鋼製の形鋼３０を、例えばアンカーボルト等で固定する。
【００５７】
そして、この形鋼３０の開口部２８側に面する左右互いに対向する側面に、実施例１の図２（ｂ）で示す支持梁１６と同じ構造の支持梁（図示せず）を、左右互いに向き合うように、複数段、突設した構成とする。なお、形鋼３０を配置せずに、支持梁を単にコンクリートに埋め込んで突設する構成としてもよい。
【００５８】
横ビーム２７は、実施例１の横ビーム２７と同じ構造の両端に嵌合部としての切り欠きが形成された円柱状の構成とする。横ビーム２７を、その切り欠き支持梁に嵌合させて、実施例１と同様の留め金で固定して、鋼製の形鋼３０にセットすることで、図７（ｂ）に示すように、複数の横ビーム２７を河川の横断方向に、着脱可能に配置する構成とする。
【実施例３】
【００５９】
図８は、本発明に係る横ビーム式オープンダムの実施例３を示す図である。図８（ａ）は上流側から見た正面図であり、図８（ｂ）はＸ−Ｘ断面図であり、８（ｃ）はＹ−Ｙ断面図である。この実施例３の横ビーム式オープンダム３３は、河川の最下流のオープンダムとして適しており、土石流の先頭部を構成する礫群や後続流中に含まれる小礫を捕捉できる捕捉効果を発揮する。
【００６０】
この実施例３の横ビーム式オープンダム３３は、実施例２の横ビーム式オープンダム２６と基本的な構成は同じであるが、天端スラブ３４を設けるとともに、実施例２のように横ビーム２７だけでなく、その下流側に沿うように位置して縦ビーム３５を、着脱自在に設けた構成を特徴とする。実施例３の構成のうち実施例２と共通する部分は、共通の符号を付してその説明を省略し、実施例３の特徴部分を中心に以下説明する。
【００６１】
この実施例３の横ビーム式オープンダム３３は、実施例２と同様に、上下方向にスリット間隔をおいて複数の横ビーム２７（横ビーム群）が配置されている。この複数の横ビーム２７の下流側に沿うように少し間隔（横ビーム２７が流下物が当たって下流側に撓っても縦ビーム３５に衝接しない程度の間隔）をおいて、複数の縦ビーム３５（縦ビーム群）が、着脱自在に設置されている。
【００６２】
縦ビーム３５は、複数の横ビーム２７の下流側に沿うように配置されているから、複数の横ビーム２７（横ビーム群）の勾配と同じ勾配で縦方向に配置されることとなる。複数の縦ビーム３５は、河川横断方向にスリット間隔ｓ’をおいて設置されている。
【００６３】
縦ビーム３５は、実施例２と同様に鋼管が使用され、その上端及び下端は、天端スラブ３４及び基礎コンクリート５に着脱自在に取り付けられる。この取付構造は、実施例２における横ビーム２７を非越流部２に着脱自在に取り付ける構造と同じである。
【００６４】
即ち、縦ビーム３５の上端及び下端には、嵌合部が形成されており、一方、天端スラブ３４及び基礎コンクリート５には、それぞれ複数の縦ビーム用支持梁が埋め込まれ突設されている。なお、実施例３の嵌合部及び縦ビーム用支持梁は、図８では図示しないが、実施例２の図２（ｂ）に示す嵌合部である切り欠き２５、及び留め金具１８を付設した支持梁１６と同じ構造である。
【００６５】
横ビーム式オープンダム３３は、このような構成であるから、縦ビーム３５の嵌合部を、天端スラブ３４及び基礎コンクリート５に突設された縦ビーム用支持梁に嵌合することで、縦ビーム３５を天端スラブ３４及び基礎コンクリート５に着脱自在に取り付けることができる。なお、縦ビーム３５の嵌合部は、縦ビーム３５の下流側に形成すれば、上流側から水流や流下物の力が作用しても、縦ビーム３５は縦ビーム用支持梁からはずれない。
【００６６】
実施例３の横ビーム式オープンダム３３は、横ビーム２７に付加して縦ビーム３５を着脱自在に設置したので、非越流部２９の間の開口部は、横ビーム２７と縦ビーム３５から成る格子３６が形成される。
【００６７】
以上、本発明に係る横ビーム式オープンダムを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６８】
以上のとおり、本発明に係る横ビーム式オープンダムは、横ビームを着脱自在に取り付けられる構成であるから、土石流が頻繁に生じ、しかも、堆積した土砂や石の取り除き、部品交換等のメインテナンスを実施するための環境が比較的悪い山間地の河川等に構築する砂防ダムとして、最適である。
【図面の簡単な説明】
【００６９】
【図１】（ａ）は従来のハイブリッドバットレス型オープンダムの斜視図であり、（ｂ）は本発明の横ビーム式オープンダムの実施例１の斜視図である。
【図２】本発明の横ビーム式オープンダムの実施例１の斜視図である
【図３】本発明の横ビーム式オープンダムの実施例１のバットレスの要部構造を説明する図である。
【図４】本発明の横ビーム式オープンダムの実施例１の施工法を説明する図である。
【図５】本発明の横ビーム式オープンダムの実施例１の施工法を説明する図である。
【図６】本発明の横ビーム式オープンダムの実施例１の施工法を説明する図である。
【図７】（ａ）は従来の別のハイブリッドバットレス型オープンダムの斜視図であり、（ｂ）は本発明の横ビーム式オープンダムの実施例２の斜視図である。
【図８】本発明の横ビーム式オープンダムの実施例３を示す図であり、（ａ）は上流側から見た正面図であり、（ｂ）はＸ−Ｘ断面図であり、（ｃ）はＹ−Ｙ断面図である。
【符号の説明】
【００７０】
１、２６、３３  横ビーム式オープンダム               
２、２９  非越流部（ダムの不透過部）         
３、３１  バットレス                           
４、２８  開口部                               
５  基礎コンクリート                     
６、３２、３４  天端スラブ                           
７  柱材
７’アンカーボルト                               
８  側面壁                               
９  上流面材
９’、３０鋼製の形鋼                           
１０  下流面材                         
１１  函体                               
１２  内部コンクリート                   
１３  側面パネル                         
１４  取付杆（腹起こし）               
１５  補強鉄筋                           
１６  支持梁                       
１７  水平タイ材                         
１８  留め金具                           
１９  スラブ底面材                       
２０  スラブ上流面材                     
２１  スラブ下流面材 
２２  斜めタイ材                        
２３  天端コンクリート                   
２４、２７  横ビーム                           
２５  切り欠き（嵌合部である凹部）
３０  鋼製形鋼
３５  縦ビーム
３６  格子       
ｓ、ｓ’  スリット間隔
【図１】
2005336802.tif 000003
【図２】
2005336802.tif 000004
【図３】
2005336802.tif 000005
【図４】
2005336802.tif 000006
【図５】
2005336802.tif 000007
【図６】
2005336802.tif 000008
【図７】
2005336802.tif 000009
【図８】
2005336802.tif 000010